(57)【特許請求の範囲】
【請求項１】
冷凍サイクルと、前記冷凍サイクルが備える圧縮機を冷却する放熱ファンと、を備える冷蔵庫において、
室温を検知する庫外温度センサと、
前記冷凍サイクルの負荷を検知する負荷検知手段と、
前記庫外温度センサが第１所定温度以下を検出すると前記放熱ファンを停止させる第１制御モードを実行し、前記第１制御モード実行中に前記負荷検知手段が前記冷凍サイクルの高負荷状態を検知すると前記放熱ファンを回転させる第２制御モードに移行する制御手段とを有し、
前記制御手段は、電源投入から冷蔵庫の除霜が実行されるまでの間、前記第２制御モードの実行を禁止することを特徴とする冷蔵庫。
【請求項２】
前記制御手段は、第２制御モードを所定時間実行すると前記第１制御モードに移行することを特徴とする請求項１に記載の冷蔵庫。
【請求項３】
前記庫外温度センサが前記第１所定温度より低い温度に設定された第２所定温度以下を検出すると、前記負荷検知手段が前記冷凍サイクルの高負荷状態を検知しても第２制御モードに移行せず前記第１制御モードを実行することを特徴とする請求項１又は２に記載の冷蔵庫。
【請求項４】
前記負荷検知手段は、冷蔵庫扉の開閉により前記冷凍サイクルの高負荷状態を検知する扉開閉検知手段であることを特徴とする請求項１〜３のいずれか１項に記載の冷蔵庫。
【請求項５】
前記負荷検知手段は、冷蔵庫内温度により前記冷凍サイクルの高負荷状態を検知する庫内温度センサであることを特徴とする請求項１〜３のいずれか１項に記載の冷蔵庫。
【請求項６】
前記負荷検知手段は、前記圧縮機の回転数により前記冷凍サイクルの高負荷状態を検知することを特徴とする請求項１〜３のいずれか１項に記載の冷蔵庫。
【請求項７】
前記負荷検知手段は、除霜が行われたことで高負荷状態を検知することを特徴とする請求項１〜３のいずれか１項に記載の冷蔵庫。
【請求項８】
前記庫外温度センサが前記第１所定温度より高い温度を検出すると、制御手段は、前記放熱ファンを前記第２制御モードより高速回転させる第３制御モードを実行することを特徴とする請求項１〜７のいずれか１項に記載の冷蔵庫。
【発明の詳細な説明】
【技術分野】
【０００１】
本発明は、冷凍サイクルを構成する圧縮機を冷却する放熱ファンを備えた冷蔵庫に関する。
【背景技術】
【０００２】
冷蔵庫では、冷凍サイクルを構成する圧縮機や凝縮器の温度を下げることによって、冷媒の凝縮温度を下げ冷却効率の向上を図ると共に、圧縮機モータの巻線温度の上昇による損失を低減させるため、圧縮機の駆動に対応させて放熱ファンを回転させて圧縮機や凝縮器の放熱を行っていた。
【０００３】
ところが、外気温が低いとき、例えば、冷蔵庫の設置場所の温度が１０℃以下の場合、放熱ファンの駆動により圧縮機の温度が過剰に下がり、冷凍機油中に溶け込む冷媒量が多くなり、冷媒が冷凍サイクルに循環されずに冷却効率が低下してしまう、いわゆる冷媒の寝込み現象を生じることになる。
【０００４】
そこで、従来、外気温が低い条件において圧縮機の駆動と独立して放熱ファンを停止させることにより圧縮機や凝縮器の過剰冷却を防止して冷媒の寝込みを抑制していた（例えば、特許文献１参照）。
【０００５】
しかしながら、冷蔵庫の設置場所の雰囲気温度が低温以上の中室温、例えば、１０℃〜２０℃の場合において、外気温が低いときと同じように放熱ファンを停止させると、温かい食品が入れられるなど突発的に高負荷になった時には冷媒の凝縮温度を十分に下げることができず冷却効率が悪化するおそれがあり、一方、庫内温度が設定温度で安定した状態では放熱ファンを回転させ続けると、不要な放熱ファンの駆動となり消費電力のロスや騒音の増加を招くことになる問題がある。
【特許文献１】特開２００３−２８７３３４号
【発明の開示】
【発明が解決しようとする課題】
【０００６】
本発明は上記問題を考慮してなされたものであり、消費電力のロスや騒音の増加を抑えることができる冷蔵庫を提供することを目的とする。
【課題を解決するための手段】
【０００７】
本発明の冷蔵庫は、冷凍サイクルと、前記冷凍サイクルが備える圧縮機を冷却する放熱ファンと、を備える冷蔵庫において、室温を検知する庫外温度センサと、前記冷凍サイクルの負荷を検知する負荷検知手段と、前記庫外温度センサが第１所定温度以下を検出すると前記放熱ファンを停止させる第１制御モードを実行し、前記第１制御モード実行中に前記負荷検知手段が前記冷凍サイクルの高負荷状態を検知すると前記放熱ファンを回転させる第２制御モードに移行する制御手段とを有し、前記制御手段は、電源投入から冷蔵庫の除霜が実行されるまでの間は、前記第２制御モードの実行を禁止することを特徴とする。
【発明の効果】
【０００８】
本発明の冷蔵庫では、冷凍サイクルの負荷に応じて放熱ファンの回転を制御するため、冷却効率の低下や騒音の増加を抑えることができる。
【発明を実施するための最良の形態】
【０００９】
以下、図面に基づき本発明の１実施形態について説明する。図１は本実施形態に係る冷蔵庫１０の斜視図、図２は冷蔵庫１０の断面図であり、図３は冷蔵庫１０の冷凍サイクル５０の構成を示す図、図４は機械室部分を示す背部からの冷蔵庫１０の斜視図、図５は冷蔵庫１０の要部拡大断面図、図６は冷蔵庫１０の電気的構成を示すブロック図である。
【００１０】
冷蔵庫１０は、図１及び図２に示すように、外箱１２と内箱１４との間に発泡断熱材１６を充填して断熱箱体１７を形成し、貯蔵室内部を断熱仕切壁１８によって上部の冷蔵室２０と下部の冷凍空間４０とに区画している。
【００１１】
冷蔵室２０内部は、さらに載置棚を兼ねた天井仕切板２１及び仕切板２２によって上下に３つの空間に区画され、上部空間を複数段の載置棚２３を設けた冷蔵貯蔵空間２４とし、中部空間を引き出し式の野菜容器２５を配置する野菜貯蔵空間２６とし、下部空間を内部が−３〜０℃程度に冷却される低温容器２７を配置する低温貯蔵空間２８としている。
【００１２】
冷蔵室２０の前面開口部は、断熱箱体１７に設けられたヒンジ部２９，２９に回動自在に取り付けられた左右の冷蔵室扉２０ａ，２０ａによって観音開き方式で閉塞されている。
【００１３】
冷蔵室２０の下部に設けられた冷凍空間４０には、断熱仕切壁１８の直下において、自動製氷装置を備えた製氷室４２と室内温度を切換設定することができる温度切替室４４とが左右に併設されており、製氷室４２及び温度切替室４４の下部に冷凍室４６が設けられている。製氷室４２、温度切替室４４、及び冷凍室４６は、それぞれ内部に配設された収納容器が開扉動作に連動して引き出される引き出し式の扉４２ａ，４４ａ，４６ａによって前面開口部が閉塞されている。
【００１４】
各貯蔵室を閉塞する扉２０ａ，４２ａ，４４ａ，４６ａには、各扉の開閉状態を検知するための扉スイッチ４７がそれぞれ設けられている。
【００１５】
そして、冷蔵室２０および冷凍空間４０のそれぞれの背面部には、冷蔵用冷却器５２及び冷凍用冷却器５３と各冷却器に対応する冷蔵用ファン５４及び冷凍用ファン５５とをそれぞれ配設し、各冷却器５２，５３で生成された冷気をファン５４，５５によりダクトを介してそれぞれの貯蔵室内に導入しこれを冷却するようにしている。また、冷凍用冷却器５３の下方にはパイプヒータやガラス管ヒータなどよりなる除霜ヒータ３０を設けている。
【００１６】
冷蔵室２０の背面にある冷気を送るためのダクト３２には、冷蔵室２０の庫内温度を測定するための冷蔵室用温度センサ３４が設けられ、冷凍室４６の天井面には、冷凍室４６の庫内温度を測定するための冷凍室用温度センサ４８が設けられている。また、冷凍用冷却器５３の上方には、該冷却器５３の温度を検知し、除霜の終了タイミングを検知するための除霜センサ４９が設けられている。また、図１に示すようにハンドルの内部には、庫外の温度を検知する庫外温度センサ６８を設けている。
【００１７】
冷蔵冷却器５２及び冷凍冷却器５３は、冷蔵庫１０の下部に設けたインバータによる周波数変換などで能力可変式の圧縮機５６から吐出される冷媒を、図３に示すような冷凍サイクル５０により交互に導いて冷却される。
【００１８】
冷凍サイクル５０は、圧縮機５６の吐出側に凝縮器５８が接続され、凝縮器５８には三方弁６０が接続されている。三方弁６０から二股に分かれた冷媒流路の一方に冷蔵用キャピラリチューブ６２を介して冷蔵用冷却器５２が接続され、他方の冷媒流路に冷凍用キャピラリチューブ６４を介して冷凍用冷却器５３が接続されており、三方弁６２を切り替えることで、凝縮器５８により放熱液化された冷媒を冷蔵用冷却器５２側及び冷凍用冷却器５３側へ分流し、また、両冷却器５２，５３への該冷媒供給を遮断するようになっている。また、各冷却器５２，５３と圧縮機５６の吸込側が接続されており、各冷却器５２，５３を流れた冷媒は再び圧縮機５６に取り込まれ冷凍サイクル５０を循環する。
【００１９】
なお、冷蔵庫１０に用いられる冷凍サイクルは、図４に示すものに限らず、圧縮機、凝縮器、１つの冷却器を順次接続したいわゆる１エバタイプや、凝縮器から流出した冷媒が三方弁を介することなく冷蔵用冷却器と冷凍用冷却器に分流され、冷蔵用冷却器を流通した冷媒が冷凍用冷却器の流入口側へ合流するいわゆるセミパラレルタイプなど、各種冷凍サイクルを用いることができる。
【００２０】
圧縮機５６は、図４に示すように冷蔵庫１０の背面下部に形成された機械室７０に設置されており、冷蔵庫本体の幅方向にわたって設けたコンプ台７１上にクッション体を介して取り付けられている。
【００２１】
機械室７０は、本体の背面下部に冷凍室４６側に突出する段部７２を形成し、この段部７２によって幅方向に亙る所定の奥行きと高さ寸法を有する空間をなしている。機械室７０の幅方向の一方に寄せて圧縮機５６を設置し、幅方向の他方側を放熱ダクトとして外気を機械室７０内に導入する放熱ファン７３、凝縮器５８、及び除霜水を蒸発させる蒸発皿７４などを設置している。
【００２２】
放熱ファン７３は、段部７２との間に若干の間隙を形成し、周縁を機械室７０の上下面に、左右部分を段部７２に当接するように設置して機械室７０内と外部とを区画したファンケーシング７５に取り付けられており、軸流が機械室７０の前後方向となるように配置されている。
【００２３】
この放熱ファン７３を取り付けたファンケーシング７５の下端前方のコンプ台７１には、図５に示すように、ファンケーシング７５幅に亙って複数の開口からなる外気の吸込み口７６を穿設している。放熱ファン７３の後方には、凝縮器５８を配置しており、凝縮器５８はその下端を放熱ファン７３に対向させ、上部は機械室７０より上方まで延出して外箱後板１２ａに形成した凹部７７に沿うように立設させている。
【００２４】
機械室７０の背面は、カバー体７８で覆われており、カバー体７８は、放熱ファン７３から吹き出された空気が冷蔵庫１０本体幅のやや中心方向に向かって流れるような形状をなしており、圧縮機５６の後方に不図示の空気流出口が形成されている。また、カバー体７８は、凝縮器５８の上端部まで覆うように延設されており、凹部７７のとの間に形成されるダクトに連なる空気流出口７９が穿設されている。
【００２５】
放熱ファン７３によって機械室７０内に吹き出され後方に送流され空気の一部は、カバー体７８に衝突することで本体幅の中心方向に分流され、圧縮機５６と熱交換してこれを冷却した後、圧縮機５６の後方においてカバー体７８に穿設された上記の空気流出口から外部に流出する。
【００２６】
機械室７０内に吹き出された空気の一部は、図５中の矢印にように、上方に分流されて凹部７７とカバー体７８で形成されるダクト内に流入し、凝縮器５８と熱交換してこれを冷却して、カバー体７８上部の空気流出口７９から外部に流出する。
【００２７】
また、凹部７７には、凝縮器５８に隣接する圧縮機５６の上方に冷蔵庫の運転を制御する電源回路やインバータスイッチング回路、モーターコントロール回路、整流回路などを搭載したプリント配線基板からなる制御部６６が配設されている。制御部６６には、図６に示すように、除霜ヒータ３０、冷蔵室用温度センサ３４、ドアスイッチ４７、冷凍室用温度センサ４８、除霜センサ４９、冷蔵室用ファン５４、冷凍室用ファン５５、圧縮機５６のモータ、庫外温度センサ６８が接続され、これらを動作制御されるとともに、冷凍室扉４６ａの開閉回数及び開扉時間の積算や圧縮機５６のモータの運転状況や冷蔵庫１０が設置される雰囲気温度Ｔａを計測しこれらを記憶する。また、制御部６６には、庫外温度センサ６８が接続されており、冷蔵庫１０が設置される雰囲気温度Ｔａを計測し記憶するようになっている。
【００２８】
次に、上記構成の冷蔵庫１０の放熱ファン７３の制御方法について、図７に示すフロー図に基づいて説明する。
【００２９】
まず、ステップＳ１において、圧縮機５６が回転駆動し冷凍サイクル５０が動作しているか否か判断し、圧縮機５６が動作していなければ圧縮機５６及び凝縮器５８を冷却する必要がないためステップＳ２において放熱ファン７３を停止させ、既に放熱ファン７３が停止している場合は停止させたまま制御を終了し、圧縮機５６が動作していればステップＳ３に進む。
【００３０】
ステップＳ３において、庫外温度センサ６８より検出される冷蔵庫１０の設置場所の雰囲気温度Ｔａが第１所定温度（例えば、２０℃）より低いか否か判断し、第１所定温度以上であればステップＳ４に進み、第１所定温度より低ければステップＳ５に進む。
【００３１】
ステップＳ４では、冷蔵庫外の室温が高く冷媒の凝縮温度を下げ冷却効率の向上を図るため、圧縮機５６の回転数に合わせて放熱ファン７３を所定の回転速度で回転駆動させ圧縮機５６や凝縮器５８の冷却を行いステップＳ１に戻る。
【００３２】
ステップＳ５では、庫外温度センサ６８より検出される雰囲気温度Ｔａが第２所定温度（例えば、１０℃）より高いか否か判断し、第２所定温度以下であればステップＳ６に進み、第２所定温度より高ければステップＳ７に進む。
【００３３】
ステップＳ６では、冷蔵庫外の室温が低いことから、送風ファン７３を駆動させることなく自然冷却でも適度に圧縮機５６及び凝縮器５８を冷却でき、また、送風ファン７３を駆動すると圧縮機５６等が過度に冷却され、不要に騒音が発生してしまうため、冷媒の寝込み現象が生じる可能性が高くなるため、放熱ファン７３を停止させ、既に放熱ファン７３が停止している場合は停止させたままステップＳ１に戻る。
【００３４】
ステップＳ７では、第１所定温度より低く第２所定温度より高い状態、いわゆる中室温の場合、庫内温度が設定温度で安定した状態であれば放熱ファン７３を回転させると過度に冷却してしまい、不要に騒音が発生してしまうため、ここでは放熱ファン７３を停止する第１制御モードを実行してステップＳ８に進む。
【００３５】
ステップＳ８では、冷蔵庫１に電源が投入されてから除霜ヒータ３０を通電し冷凍用冷却器５５の除霜を実行したことがあるか否か判断し、冷蔵庫１に電源が投入されてから一度も除霜を実行していない場合は上記の第１制御モードを継続しステップＳ１に戻り、冷蔵庫１に電源が投入されてから一度でも除霜を実行していればステップＳ９に進む。
【００３６】
ステップＳ９では、圧縮機５６が駆動されてからいずれかの貯蔵室扉の開閉があったか否か判断し、貯蔵室扉の開閉があれば冷蔵庫内に外気が流入したり新たな貯蔵物が収納されたりすることから冷凍サイクル５０が高負荷状態にあるとしてステップＳ１０に進み、貯蔵室扉の開閉がなければ第１制御モードを継続しステップＳ１に戻る。つまり、本実施形態ではドアスイッチ４７が貯蔵室扉の開閉を検知することにより冷凍サイクル５０の高負荷状態を検知する。
【００３７】
ステップＳ１０では、冷蔵庫外の室温は第１所定温度より低いため、庫内温度が安定した状態では放熱ファン７３を回転させなくても良いが、ステップＳ９で判断したように高負荷状態の場合には冷却不足となり放熱ファン７３を停止させるよりも冷却効率を優先させる方がよいため、放熱ファン７３を回転駆動させ圧縮機５６や凝縮器５８の冷却を行いステップＳ１１に進み、ステップＳ１１において第２制御モードを所定時間ｔ１実行する。その際、放熱ファン７３の回転数は、庫外温度センサ６８が第１所定温度以上を検出した場合の放熱ファン７３を低速で回転駆動させることが好ましい。
【００３８】
そして、第２制御モードを所定時間ｔ１実行した後、ステップＳ１２において送風ファン７３を停止して第２制御モードから第１制御モードに移行し、その後、ステップＳ１に戻る。なお、この所定時間ｔ１は、冷凍サイクル５０の運転状況に合わせて変更しても良く、例えば、圧縮機５６が停止するまで、あるいは冷蔵用冷却器５２に冷媒を流し冷蔵室２０の冷却を行う冷蔵モードと冷凍用冷却器５３に冷媒を流し冷凍空間４０の冷却を行う冷蔵モードとを所定回数行うまでの時間を所定時間ｔ１としても良い。
【００３９】
以上のように、本実施形態では、冷蔵庫の設置場所の雰囲気温度Ｔａが第１所定温度より低い場合において冷凍サイクルの負荷状態に応じて放熱ファン７３の回転を制御するため、冷凍サイクル５０の高負荷状態では放熱ファン７３を回転駆動させる第２制御モードを実行して冷媒の凝縮温度を下げ冷却効率の向上を図り、冷凍サイクル５０の低負荷又は無負荷状態では放熱ファン７３を停止させる第１制御モードを実行して不要な放熱ファンの回転を防止して消費電力のロスや騒音の増加を抑えることができる。また、冷蔵庫の設置場所の雰囲気温度Ｔａが第２所定温度より低い場合には、冷凍サイクルの負荷状態に関わらず、放熱ファン７３を停止させて消費電力のロスや騒音の増加を抑えることができる。
【００４０】
しかも、冷蔵庫１０の電源投入直後は、庫内温度は安定していないとみなして、冷蔵庫１０の電源投入から最初の除霜が実行されるまで冷凍サイクル５０の負荷状態に関わらず第２制御モードの実行を禁止しているため、冷却を優先することで効果的に冷蔵庫１０を冷却することができる。
【００４１】
（変更例１）
本実施形態の変更例１について図８を参照して説明する。なお、上記した実施形態と同一又は対応する要素には同一符号を付し、重複する説明は省略する。
【００４２】
上記の本実施形態ではドアスイッチ４７が貯蔵室扉の開閉を検知することにより冷凍サイクル５０の高負荷状態を検知するが、本変更例１は、冷蔵室用温度センサ３４及び冷凍室用温度センサ４８が検出する冷蔵庫内温度により冷凍サイクル５０の高負荷状態を検知する点で、上記の本実施形態と相違する。
【００４３】
すなわち、変更例１では、図８のステップ９において、設定温度に対する冷蔵庫内温度の偏差が所定値以上である場合、すなわち、冷蔵室用温度センサ３４により検出される冷蔵室温度と冷蔵室２０の設定温度との温度差ΔＴRが所定値（例えば、５℃）より大きい場合、あるいは、冷凍室用温度センサ４８により検出される冷凍室４６の温度と冷蔵室２０の設定温度との温度差ΔＴＦが所定値（例えば、５℃）より大きい場合に冷凍サイクル５０の高負荷状態を検知する。
【００４４】
本変更例１では、温度差ΔＴR及びΔＴＦの両方が所定値以内になるまで放熱ファン７３を回転駆動する第２制御モードを実行し（ステップＳ１１）、温度差ΔＴR及びΔＴＦの両方が所定値以内になると送風ファン７３を停止させ第１制御モードへ移行する（ステップＳ１２）。
【００４５】
このような本変更例１の場合であっても、簡易な構成により冷凍サイクル５０の高負荷状態を検知することができる。
【００４６】
（変更例２）
本実施形態の変更例について図９を参照して説明する。なお、上記した実施形態と同一又は対応する要素には同一符号を付し、重複する説明は省略する。
【００４７】
上記の本実施形態ではドアスイッチ４７が貯蔵室扉の開閉を検知することにより冷凍サイクル５０の高負荷状態を検知するが、本変更例２は、圧縮機５６の回転数Ｎｃにより冷凍サイクル５０の高負荷状態を検知する点で、上記の本実施形態と相違する。
【００４８】
すなわち、変更例２では、図９のステップ９において、圧縮機５６の回転数Ｎｃが所定回転数ＮHより大きい場合に冷凍サイクル５０の高負荷状態を検知して（ステップＳ９）、放熱ファン７３を回転駆動する第２制御モードを継続して実行し（ステップＳ１０、ステップＳ１１）、圧縮機５６の回転数Ｎｃが所定回転数ＮH以下になると、送風ファン７３を停止させ第１制御モードへ移行する（ステップＳ１２）。
【００４９】
このような本変更例２の場合であっても、簡易な構成により冷凍サイクル５０の高負荷状態を検知することができる。
【００５０】
なお、本変更例２において、圧縮機５６の回転数Ｎｃが所定回転数より大きい高回転状態の積算時間が、所定の時間を超えた場合に、冷凍サイクル５０の高負荷状態と判断するようにしても良い。
【００５１】
（変更例３）
本実施形態の変更例について図１０を参照して説明する。なお、上記した実施形態と同一又は対応する要素には同一符号を付し、重複する説明は省略する。
【００５２】
冷蔵庫１０は所定の周期（例えば、圧縮機５６の積算運転時間が１０時間に到達する）ごとに除霜を行うが、この除霜終了後は比較的庫内温度が高いため、除霜終了から所定時間経過していない場合や冷蔵モードと冷凍モードとの実行回数か所定回数に達していない場合に冷凍サイクル５０が高負荷状態にあるとみなして（ステップＳ９）、中室温時には放熱ファン７３を回転駆動する第２制御モードを継続して実行し（ステップＳ１０、ステップＳ１１）、除霜終了から所定時間経過したり、あるいは冷蔵モードと冷凍モードとを所定回数実行すると、庫内温度が安定しているとみなして、第１制御モードに移行する（ステップＳ１２）。また、本変更例３でも第１所定温度以上の高室温の時は放熱ファン７３を回転させ（ステップＳ４）、第２所定温度以下の低室温の時は放熱ファン７３を停止させる（ステップＳ６）。
【００５３】
このような本変更例３の場合であっても、簡易な構成により冷凍サイクル５０の高負荷状態を検知することができる。
【図面の簡単な説明】
【００５４】
【図１】本発明の１実施形態に係る冷蔵庫の外観斜視図である。
【図２】本発明の１実施形態に係る冷蔵庫の縦断面図である。
【図３】本発明の１実施形態に係る冷蔵庫の冷凍サイクルを示す図である。
【図４】本発明の１実施形態に係る冷蔵庫背部からの斜視図である。
【図５】本発明の１実施形態に係る冷蔵庫の要部拡大断面図である。
【図６】本発明の１実施形態に係る冷蔵庫の電気的構成を示すブロック図である。
【図７】本発明の１実施形態に係る冷蔵庫の放熱ファンの制御方法を示すフロー図である。
【図８】本発明の１実施形態の変更例１に係る冷蔵庫の放熱ファンの制御方法を示すフロー図である。
【図９】本発明の１実施形態の変更例２に係る冷蔵庫の放熱ファンの制御方法を示すフロー図である。
【図１０】本発明の１実施形態の変更例３に係る冷蔵庫の放熱ファンの制御方法を示すフロー図である。
【符号の説明】
【００５５】
１０…冷蔵庫                  ２０…冷蔵室                        ４６…冷凍室
４７…ドアスイッチ            ４８…冷凍室用温度センサ      ５０…冷凍サイクル
５６…圧縮機                  ５８…凝縮器                        ６６…制御部
６８…庫外温度センサ          ７０…機械室                        ７３…放熱ファン
【図１】
0005376796.tif 000002
【図２】
0005376796.tif 000003
【図３】
0005376796.tif 000004
【図４】
0005376796.tif 000005
【図５】
0005376796.tif 000006
【図６】
0005376796.tif 000007
【図７】
0005376796.tif 000008
【図８】
0005376796.tif 000009
【図９】
0005376796.tif 000010
【図１０】
0005376796.tif 000011